(57)【要約】【課題】カメラ内部の温度上昇を抑えることができるカメラ。【解決手段】カメラ１は、撮影光学系１００により結像された被写体像を撮像素子１０１で撮像する撮影ユニット１０と、画像形成手段２０４で形成された画像を投射光源２００の光により投射するプロジェクタユニット２０と、三脚が固定される締結部１４０ａを有するとともに、投射光源２００の発熱部２００ａと熱的に接続している三脚用ブロック１４とを備える。【選択図】図３
2008275746.tif 000002
【特許請求の範囲】
【請求項１】
撮影光学系により結像された被写体像を撮像素子で撮像する撮影ユニットと、
画像形成手段で形成された画像を投射光源の光により投射するプロジェクタユニットと、
三脚が固定される締結部を有するとともに、前記投射光源の発熱部と熱的に接続している三脚用ブロックとを備えたことを特徴とするカメラ。
【請求項２】
請求項１に記載のカメラにおいて、
前記三脚用ブロックを前記発熱部に直接接触させたことを特徴とするカメラ。
【請求項３】
請求項２に記載のカメラにおいて、
前記発熱部を前記三脚用ブロックに固定したことを特徴とするカメラ。
【請求項４】
請求項１に記載のカメラにおいて、
前記発熱部と前記三脚用ブロックとを熱的に接続する伝熱性部材を備えたことを特徴とするカメラ。
【請求項５】
請求項１〜４のいずれか一項に記載のカメラにおいて、
前記三脚用ブロックをカメラカバーに接触させたことを特徴とするカメラ。
【請求項６】
請求項１〜５のいずれか一項に記載のカメラにおいて、
前記光源が発光ダイオードであることを特徴とするカメラ。
【発明の詳細な説明】
【技術分野】
【０００１】
本発明は、プロジェクタモジュールを内蔵したカメラに関する。
【背景技術】
【０００２】
プロジェクタモジュールを内蔵したデジタルカメラが知られている（例えば、特許文献１参照）。
【０００３】
【特許文献１】特開２００５−２５０３９２号公報
【発明の開示】
【発明が解決しようとする課題】
【０００４】
しかしながら、プロジェクタモジュールをカメラ内に内蔵した場合、光源であるＬＥＤが高温になり、カメラ内部に熱がこもってカメラ内部の温度が過度に上昇してしまうという問題があった。
【課題を解決するための手段】
【０００５】
請求項１の発明によるカメラは、撮影光学系により結像された被写体像を撮像素子で撮像する撮影ユニットと、画像形成手段で形成された画像を投射光源の光により投射するプロジェクタユニットと、三脚が固定される締結部を有するとともに、投射光源の発熱部と熱的に接続している三脚用ブロックとを備えたことを特徴とするカメラ。
請求項２の発明は、請求項１に記載のカメラにおいて、三脚用ブロックを発熱部に直接接触させたものである。
請求項３の発明は、請求項２に記載のカメラにおいて、発熱部を三脚用ブロックに固定したものである。
請求項４の発明は、請求項１に記載のカメラにおいて、発熱部と三脚用ブロックとを熱的に接続する伝熱性部材を備えたものである。
請求項５の発明は、請求項１〜４のいずれか一項に記載のカメラにおいて、三脚用ブロックをカメラカバーに接触させたものである。
請求項６の発明は、請求項１〜５のいずれか一項に記載のカメラにおいて、光源が発光ダイオードであることを特徴とする。
【発明の効果】
【０００６】
本発明によれば、カメラ内部の温度上昇を抑えることができる。
【発明を実施するための最良の形態】
【０００７】
以下、図を参照して本発明を実施するための最良の形態について説明する。図１，２は、本発明の一実施の形態におけるカメラの外観図である。図１はデジタルカメラ１の外観を示す斜視図であり、図２（ａ）はデジタルカメラ１の正面を示す図であり、図２（ｂ）は背面を示す図である。
【０００８】
デジタルカメラ１の本体内部には、撮影ユニット１０とプロジェクタユニット２０とが設けられている（図２（ａ）参照）。本体前面は金属製の前カバー３で覆われており、波のようにカーブした曲面形状を成している。本体前面には、撮影ユニット１０で撮影するための撮影窓３０、プロジェクタユニット２０で投影するためのプロジェクタ投影窓３１、およびフラッシュ光が出射されるフラッシュ窓３２が設けられている。
【０００９】
本体上面には、電源スイッチ３３、レリーズスイッチ３４、モード切替ボタン３５、プロジェクタフォーカスレバー３６等が設けられている。モード切替ボタン３５は、カメラ撮影を行う撮影モードと、プロジェクタ投影を行うプロジェクタモードとを切り替えるための操作ボタンである。プロジェクタフォーカスレバー３６は、プロジェクタ投影時の投影画像のピント調整を行うための操作レバーである。電源スイッチ３３を操作して電源オンすると、デジタルカメラは撮影モードで起動し、モード切替ボタン３５を操作することで撮影モードからプロジェクタモードへ切り替わり、もう一度モード切替ボタン３５を操作すると、プロジェクタモードから撮影モードへと切り替わる。
【００１０】
図２（ａ）に示すように、撮影窓３０は本体右側の上部に設けられており、プロジェクタ窓３１は撮影窓３０の左側に設けられている。図２（ｂ）に示すように、本体背面には液晶モニタ３７、各種操作部３８０〜３８５が設けられている。撮影モードでは液晶モニタ３７に撮影画像が表示され、プロジェクタモードでは液晶モニタ３７はＯＦＦ状態とされる。
【００１１】
図３は本体内部構成を示す断面図である。中央部にプロジェクタユニット２０が配置され、その右側に撮影ユニット１０、左側にバッテリ１１が配置されている。プロジェクタユニット２０の上部にはフラッシュ１３が設けられており、プロジェクタユニット２０とバッテリ１１との間の空きスペースには、フラッシュ用メインコンデンサ１２が配置されている。
【００１２】
撮影ユニット１０には、複数のレンズおよびプリズムを含む撮影光学系１００と、撮影光学系１００により結像された被写体像を撮像する撮像素子１０１が設けられている。撮像素子１０１には、ＣＣＤやＣＭＯＳ等の固体撮像素子が用いられる。
【００１３】
プロジェクタユニット２０は、ＬＥＤ（発光ダイオード）２００、ＬＥＤホルダ２０１、集光レンズ２０２、偏光ビームスプリッタ２０３、液晶パネル２０４、投影用のレンズ２０５およびプリズム２０６を備えている。これらはユニットケース２０７内に収納されている。ＬＥＤ２００は、金属製のＬＥＤホルダ２０１に保持されている。ＬＥＤ２００で発生した光はＬＥＤホルダ２０１に形成された反射面２０１ａで反射され、集光レンズ２０２により略平行光とされる。略平行光とされた光は偏光ビームスプリッタ２０３に入射し、その内のＰ偏光が偏光ビームスプリッタ２０３を透過して液晶パネル２０４に入射する。
【００１４】
本実施の形態では、液晶パネル２０４としてＬＣＯＳ等の反射型液晶パネルが用いられているが、透過型の液晶パネルを用いても構わない。液晶パネル２０４は、赤、緑、青のフィルターが形成された複数の画素から構成され、カラーの画像を生成するように駆動されている。
【００１５】
液晶パネル２０４に入射した光は液晶層を進行し、液晶パネル２０４の反射面で反射された後、液晶層を逆方向に進行して液晶パネル２０４から射出される。液晶パネル２０４から射出した光は、偏光ビームスプリッタ２０３へ再度入射する。液晶パネル２０４の液晶層は電圧が印加されると位相板として機能するので、偏光ビームスプリッタ２２３へ再度入射される光は、Ｓ偏光である変調光とＰ偏光である非変調光との混合光となっている。偏光ビームスプリッタ２０３は、再入射された光束のうちＳ偏光である変調光のみを偏光分離部で反射する。その反射された変調光は、レンズ２０５およびプリズム２０６を介して図１のプロジェクタ投影窓３１からカメラ前方に投射される。
【００１６】
本体底部には、カメラ本体に三脚を取り付けるための三脚ブロック１４が設けられている。三脚ブロック１４の底面部１４０には、三脚取り付け用のネジ穴１４０ａが形成されている。また、三脚ブロック１４には、底面部１４０からから垂直に立ち上がるように支持部１４１が形成されている。ＬＥＤ２００を保持しているＬＥＤホルダ２０１は、ビス１５により支持部１４１に固定されている。
【００１７】
図４は、三脚ブロック１４の構造を説明する図である。三脚ブロック１４は、アルミダイキャストや亜鉛ダイキャスト等により形成される。底面部１４０にはボス１４２が形成され、このボスの部分にネジ穴１４０ａが形成されている。１４０ｂは補強用のリブであり、底面部１４０に対して垂直に立ち上がっている支持部１４１に繋がっている。２００ａは、ＬＥＤホルダ２０１に保持されたＬＥＤ２００の放熱部である。
【００１８】
ＬＥＤホルダ２０１をビス１５により支持部１４１に固定すると、ＬＥＤホルダ２０１の底面およびＬＥＤ２００の放熱部２００ａが支持部１４１の表面に密着する。なお、ＬＥＤホルダ２０１の底面および放熱部２００ａと支持部１４１との間に伝熱シール材を挟み込むことにより、互いの熱接触性がさらに向上する。本実施形態では、ＬＥＤホルダ２０１を支持部１４１にビス止めしているが、接着等で固定しても良いし、さらには、単に接触状態に配置するだけでも良い。三脚ブロック１４は、前カバー３および後カバー４にビス止めされている。
【００１９】
なお、本実施の形態におけるプロジェクタユニット２０は、反射型の液晶パネルを用いているため、ユニット形状がＬ字型となっている。しかし、透過型液晶パネルを用いたプロジェクタユニット２０であれば、図５に示すようにＬＥＤホルダ２０１からプリズム２０６までが直線的に配置されるので、ＬＥＤホルダ２０１を三脚ブロック１４の底面部１４０に直接接触させることができる。この場合には、三脚ブロック１４に支持部１４１を設ける必要がない。もちろん、図５に示すような従来型の三脚ブロック１４に別体の支持部１４１を固定して、図４に示すようなＬ字型のプロジェクタユニット２０に対応するようにしても良い。
【００２０】
このように、ＬＥＤホルダ２０１を三脚ブロック１４に接触させてそれに熱に逃がすことにより、発熱部の温度を下げることができる。通常、高輝度タイプのＬＥＤ２００単体の場合、ＬＥＤ２００の温度は２０分程度で１２０℃〜１５０℃まで上昇する。しかし、三脚ブロック１４に熱を逃がすことにより、８０℃程度まで発熱部の温度を下げることができる。また、放熱方向がカメラの底面部方向であって、カメラ底面はカメラ使用時に手を触れることが少ないので、熱伝達により多少温度が上昇してもカメラ使用に不都合とならない。
【００２１】
さらに、三脚ブロック１４はカバー３，４にビス止めされているので、三脚ブロック１４に伝達された熱はカバー３，４へと伝えられ、表面積の大きいカバー３，４からも周囲雰囲気へと放熱が行われる。その場合、質量が比較的大きくて熱容量を大きく取れる三脚ブロック１４に熱を逃がした後に、ＬＥＤホルダ２０１の底面よりも広い面積の底面部１４０をカバー３，４に接触させているので、ＬＥＤホルダ２０１の底面をカバー３，４に接触させるよりも放熱性能を大きくすることができる。また、三脚ブロック１４を熱伝達部材として兼用しているので、新たな放熱部品を追加する必要がない。
【００２２】
なお、上述した実施の形態では、デジタルカメラを例に説明したが、三脚取付部を有する機器であってプロジェクタユニット内蔵している携帯型電子機器（例えば、携帯電話、ポータブルプレーヤーなど）であれば、本発明を同様に適用することができる。また、本発明の特徴を損なわない限り、本発明は上記実施の形態に何ら限定されるものではない。
【図面の簡単な説明】
【００２３】
【図１】デジタルカメラ１の外観を示す斜視図である。
【図２】（ａ）はデジタルカメラ１の正面を示す図であり、（ｂ）は背面を示す図である。
【図３】本体内部構成を示す断面図である。
【図４】三脚ブロック１４の構造を説明する図である。
【図５】透過型液晶パネルを用いたプロジェクタユニット２０の場合を説明する図である。
【符号の説明】
【００２４】
１：デジタルカメラ、３：前カバー、４：後カバー、１０：撮影ユニット、１４：三脚ブロック、２０：プロジェクタユニット、１００：撮影光学系、１０１：撮像素子、１４０：底面部、１４０ａ：ネジ穴、１４１：支持部、２００：ＬＥＤ、２００ａ：放熱部、２０１：ＬＥＤホルダ、２０４：液晶パネル
【図１】
2008275746.tif 000003
【図２】
2008275746.tif 000004
【図３】
2008275746.tif 000005
【図４】
2008275746.tif 000006
【図５】
2008275746.tif 000007